(57)【特許請求の範囲】
【請求項１】
キャビネットの側面に有する挿入口よりカートリッジをスライド挿入してセットするように構成した記録／再生装置において、
カートリッジに収納された記録媒体に対する記録／再生手段を有する第１キャビネットと、
前記第１キャビネットに対してその厚み方向において接近した第１の位置と離脱した第２の位置に移動自在にこの第１キャビネットに連結された第２キャビネットと、
前記第２キャビネットを第１キャビネットに接近した第１の位置の方向に常時付勢する付勢手段と、
前記第２キャビネットを前記付勢手段による付勢力に抗して前記第１の位置から第２の位置に離脱させる方向に移動させる開放手段と、
前記開放手段による第２キャビネットの第１キャビネットに対する離脱時に開口する挿入口とを備え、
前記第２キャビネットは、挿入口のある面以外の両側面および挿入口と反対側面の３側面を第１キャビネットの側面で覆うように構成し、この覆われた側面は前記挿入口が開口される第２キャビネットの第２の位置への離脱時にのみ露出されてカートリッジを挿入可能とするように構成した
記録／再生装置。
【請求項２】
挿入口は、挿入口を閉塞する挿入口蓋を有し、この挿入口蓋が開放手段と連動して挿入口を開口可能に構成した
請求項１記載の記録／再生装置。
【発明の詳細な説明】
【０００１】
【発明の属する技術分野】
本発明は、キャビネットの側面に有する挿入口よりカートリッジをスライド挿入してセットするように構成した記録／再生装置に関する。
【０００２】
【従来の技術】
カートリッジを使用する記録／再生装置の一例として、携帯可能なポータブルミニディスクプレーヤがある。
【０００３】
このポータブルミニディスクプレーヤ（以下、ポータブルＭＤという）について、以下図面を参照しながら、従来装置について説明する。
まず、従来の装置の第１の例として、図１４に示すものがある。すなわち、ポータブルＭＤの蓋体キャビネット５１は、ポータブルＭＤの本体キャビネット５２の側に回動支点５３を中心に実線で示す開放位置と仮想線で示す閉塞位置とに回動自在に支持されており、本体キャビネット５２の側にはディスク回転駆動機構５４と光ピックアップ５５（ともに図１４（ｂ）参照）が内蔵されている。また、蓋体キャビネット５１の裏面にはホルダー５６が取り付けられており、蓋体キャビネット５１を開放位置にしてＭＤカートリッジ５７をホルダー５６に挿入し、この状態で蓋体キャビネット５１を閉塞すると、カートリッジ５７に内蔵されたディスクが本体キャビネット５２の側のディスク回転駆動機構５４に連結されてディスクが回転駆動され、光ピックアップ５５がディスクにアクセスするように構成されている。
【０００４】
このように構成された第１の従来例のポータブルＭＤにおいて、カートリッジ５７の取り出し、挿入の操作について説明する。
まず、カートリッジ５７を取り出すには、蓋体キャビネット５１を開けるためにオープン操作釦５８をスライドさせてロック爪５９と蓋体キャビネット５１の係合を外し、蓋体キャビネット５１の両側面５１ａ，５１ｂを掴んで引き上げることにより、蓋体キャビネット５１が回動してカートリッジ５７が図１４（ａ）の実線位置に飛び出すため、これを指で摘んで引っ張り出すという操作を行う。
【０００５】
また、カートリッジ５７を挿入する場合にも、蓋体キャビネット５１が仮想線で示す閉塞位置の状態で、一旦、オープン操作釦５８をスライドさせてロック爪５９と蓋体キャビネット５１の係合を外し、蓋体キャビネット５１を掴んで回動支点５３を中心に回動するように引き上げて、ホルダー５６にカートリッジ５７を挿入し、その後に蓋体キャビネット５１を閉じるというものであった。
【０００６】
次に、従来の装置の第２の例として特開平９−２２３３８６号公報がある。これは図１５に示されるように構成されている。
図１５（ａ）がカートリッジを挿入完了した装着状態を示す断面図、図１５（ｂ）がカートリッジの挿入・取り出し途中の状態を示す図である。この例は、キャビネット６１の側面に設けた開口部６２より、ＭＤカートリッジ６３をスライドさせながら挿入し、取り出しはイジェクト操作摘み（図示せず）の操作によりスライド排出するものである。
【０００７】
すなわち、キャビネット６１内には上下移動するカートリッジホルダ６４を備えると共に、シャーシ６５に設けたディスク回転駆動機構６６と光ピックアップ６７等を有している。そして、カートリッジホルダ６４は、カートリッジ６３を開口部６２より挿入可能な図１５（ｂ）の位置と、カートリッジ６３をディスク回転駆動機構６６上に装着して記録／再生可能な装着状態との間で上下移動する構成となっている。６８は開口部６２に設けられた蓋であり、イジェクト操作摘みの操作に連動して開閉されるものである。
【０００８】
このような構成で、カートリッジの取り出し・挿入の操作について説明する。まず、図１５（ａ）の状態からカートリッジ６３を取り出すには、イジェクト操作によりカートリッジホルダ６４を一旦上昇させ、図１５（ｂ）の位置にしてから、カートリッジ排出用の付勢力（図示せず）により、カートリッジ６３を図１５（ｂ）に示す位置から更に排出することとなる。
【０００９】
ここで、カートリッジホルダ６４を一旦上昇させる必要があるのは、カートリッジ６３のディスク回転駆動機構６６との嵌合状態を離脱させ、カートリッジ６３のスライドに対するディスク回転駆動機構６６の障害をなくすためである。
【００１０】
また、カートリッジ６３を装着するには、まず図１５（ｂ）に示すように、蓋６８を開けてカートリッジ６３を挿入し、このカートリッジ６３の挿入完了位置でカートリッジホルダ６４を下降させることにより、図１５（ａ）の状態となってカートリッジ６３の装着が完了する。
【００１１】
【発明が解決しようとする課題】
上記のような従来例では、まず、図１４に示す第１の例の場合、このような蓋体キャビネット５１の開閉とカートリッジ５７の取り出し方では、蓋体キャビネット５１の側面５１ａ，５１ｂを掴んで開く操作と、指を差し込んでカートリッジを摘まねばならないという操作が必要なため、操作性が悪いという問題があった。
【００１２】
また、図１５に示す第２の例の場合は、第１の例に比べて操作性は向上するものの、第１の例のものがキャビネット全体の厚み（本体５１および蓋体５２）の寸法がＴ（キャビネット内のディスク回転駆動機構５４上の寸法が、ＭＤカートリッジ５７とホルダー５６の厚みに相当）であるのに対し、カートリッジホルダ６４が上下する寸法Ｓだけ、キャビネットの全体としての厚みが厚くなるというものであり、より薄型のポータブルＭＤの出現が期待されているのが現状である。
【００１３】
本発明は、キャビネットの側面に有する挿入口よりカートリッジをスライド挿入してセットするように構成して操作性が良好であると共に、カートリッジの挿入・取り出しを行う着脱の際以外のカートリッジの非装着状態および装着完了状態でより薄型に構成される記録／再生装置を提供することを目的としてなされたものである。
【００１４】
【課題を解決するための手段】
本発明の記録／再生装置は、記録／再生手段を有し上方が開口した第１キャビネットに対しての、この第１キャビネットの前記開口を覆う第２キャビネットの連結状態が、カートリッジの挿入・取り出しを行う着脱の際以外のカートリッジの非装着状態および装着完了状態では第１キャビネットの厚さの範囲内に第２キャビネットの少なくとも一部が沈み込んだ姿勢になり、カートリッジの出し入れの際には第１キャビネットの厚み方向に対して第２のキャビネットが移動するように連結され、この状態でカートリッジの挿入口が開くように構成したことを特徴とする。
【００１５】
この本発明によると、第１キャビネットに第２キャビネットの一部が沈み込む姿勢になることによって、カートリッジの挿入・取り出しを行う着脱の際以外のカートリッジの非装着状態および装着完了状態の厚みを従来よりも薄くできる。
【００１６】
【発明の実施の形態】
請求項１記載の記録／再生装置は、キャビネットの側面に有する挿入口よりカートリッジをスライド挿入してセットするように構成した記録／再生装置において、カートリッジに収納された記録媒体に対する記録／再生手段を有する第１キャビネットと、第１キャビネットに対してその厚み方向において接近した第１の位置と離脱した第２の位置に移動自在に第１キャビネットに連結された第２キャビネットと、第２キャビネットを第１キャビネットに接近した第１の位置の方向に常時付勢する付勢手段と、第２キャビネットを前記付勢手段による付勢力に抗して前記第１の位置から第２の位置に離脱させる方向に移動させる開放手段と、前記開放手段による第２キャビネットの第１キャビネットに対する離脱時に開口する挿入口とを備え、前記第２キャビネットは、挿入口のある面以外の両側面および挿入口と反対側面の３側面を第１キャビネットの側面で覆うように構成し、この覆われた側面は前記挿入口が開口される第２キャビネットの第２の位置への離脱時にのみ露出されてカートリッジを挿入可能とするように構成したことを特徴とする。
【００１７】
請求項２記載の記録／再生装置は、請求項１において、挿入口は、挿入口を閉塞する挿入口蓋を有し、この挿入口蓋が開放手段と連動して挿入口を開口可能に構成したことを特徴とする。
【００１８】
以下、本発明の実施の形態を図１〜図１２に基づいて説明する。
図１と図２は本発明の蓋開閉装置を備えたＭＤプレーヤを示している。
このＭＤプレーヤは、カートリッジ７を着脱する際にのみホルダー６を備えた可動キャビネット１が、図１の（ａ）と図２の（ａ）に示すように本体キャビネット２の上面開口部１０から上方へ突出量：ｄだけ移動し、カートリッジの挿入・取り出しを行う着脱の際以外のカートリッジ非装着状態および装着完了状態（記録／再生時を含む）状態では図１の（ｂ）と図２の（ｂ）に示すように可動キャビネット１が本体キャビネット２の内部に移動して沈み込んだ状態、すなわちキャビネットの厚み方向において近接した状態となっている。
【００１９】
このように、本体キャビネット２の内部に可動キャビネット１が沈み込んだ状態で、カートリッジ７の装着状態にあっては、カートリッジ７に内蔵されたディスクが、本体キャビネット２の側のディスク回転駆動機構４に連結されてディスクが回転駆動され、光ピックアップ５がディスクにアクセスするように構成しており、カートリッジ７を装着した使用状態でのポータブルＭＤの厚みはカートリッジ７の非装着状態と同じ厚みにすることができ、薄型を実現できる。
【００２０】
次に、本体キャビネット２の側に対する可動キャビネット１の具体的な取り付け構造ならびに、カートリッジ７の着脱時の操作性を従来に比べて改善できる具体的構造を図３〜図１３に基づいて説明する。
【００２１】
図３はポータブルＭＤの分解斜視図で、可動キャビネット１とホルダー６は図４に示すように組み立てられている。
ホルダー６の両側面６ａ，６ｂでホルダー６の挿入口６ｃの近傍には、右側面６ａに支持軸１１が植設されており、これに対応する左側面６ｂにはビス１２ａが螺合するネジ穴１３が形成されている。ホルダー６の挿入口６ｃを開閉する挿入口蓋１４には、左右両側に支持アーム１４Ｌ，１４Ｒが形成されており、支持アーム１４Ｌ，１４Ｒの中間部には貫通孔１５が形成されている。
【００２２】
可動キャビネット１をホルダー６の上に被せて可動キャビネット１の孔１ａ，１ｂ，１ｃからホルダー６へビス１２ａ，１２ｂ，１２ｃをねじ込むに際して、挿入口蓋１４の支持アーム１４Ｒの貫通孔１５にホルダー６の支持軸１１を挿通し、さらに支持軸１１の先端を可動キャビネット１の孔１ｄに挿通する。
【００２３】
ビス１２ａは可動キャビネット１の孔１ａから支持アーム１４Ｌの貫通孔１５を通してホルダー６のネジ穴１３にねじ込まれて、挿入口蓋１４は両側が支持軸１１とビス１２ａとでホルダー６に回動自在に支持されている。
【００２４】
可動キャビネット１の後端側の孔１ｂ，１ｃからホルダー６のネジ穴１６にビス１２ｂ，１２ｃを螺合させるに際しては、ホルダー６の後端に形成されたボス部１７をリンク板１８Ｒ，１８Ｌの基端部に穿設された孔１８ａに挿通して、ボス部１７の中央に設けられたネジ穴１６にビス１２ｂ，１２ｃを螺合させてリンク板１８Ｒ，１８Ｌがホルダー６から脱落しないようにして回動自在に支持している。
【００２５】
コの字型のリンクアングル１９の右側の端部に形成された係合溝１９Ｒは、可動キャビネット１の内側と支持アーム１４Ｒとの間に挟まれる位置でホルダー６の支持軸１１に係合している。リンクアングル１９の左側の端部に形成された係合溝１９Ｌは、支持アーム１４Ｌとホルダー６との間に挟まれる位置でビス１２ａに係合している。
【００２６】
このように組み付けられたリンク板１８Ｒ，１８Ｌとリンクアングル１９とは、リンクアングル１９に切り起こし加工で形成された係合片１９ａが図５に示すように支持アーム１８Ｒの中間部に形成された溝部２０に係合し、リンクアングル１９に切り起こし加工で形成された係合片１９ｂが同様に支持アーム１８Ｌの中間部に形成された溝部２０に係合している。
【００２７】
図５および図１に示すシャーシ２１には、ディスク回転駆動機構４と光ピックアップ５ならびにプリント配線基板２２が組み付けられている。シャーシ２１の右折曲片２１Ｒと左折曲片２１Ｌには、取付溝２１ａが形成されており、左折曲片２１Ｌには取付溝２１ａの手前側にさらに切欠部２３が形成されている。
【００２８】
このシャーシ２１と図４で組み付けた可動キャビネットブロックとが図５と図７および図８の（ａ）に示すように、可動キャビネット１がシャーシ２１の右折曲片２１Ｒと左折曲片２１Ｌの内側に位置し、リンク板１８Ｒ，１８Ｌの先端に植設された回転支軸２４がシャーシ２１の右折曲片２１Ｒと左折曲片２１Ｌの取付溝２１ａにそれぞれ係合するように組み合わせられる。
【００２９】
図５と図６に示すように、ホルダー６の右側の前端部にはホルダーガイド軸２５Ｒが植設されており、ホルダー６の左側の前端部にはホルダーガイド軸２５Ｌが植設されている。このホルダーガイド軸２５Ｒ，２５Ｌは、ビス１２ｄ，１２ｅで前記シャーシ２１の前面部に前面キャビネット２６などと共締めで取り付けられる昇降駆動ユニット２７に係合している。
【００３０】
昇降駆動ユニット２７は、図６に示すようにホルダー６のホルダーガイド軸２５Ｒ，２５Ｌの移動経路を規定する上下ガイド孔２８Ｒ，２８Ｌと中央部にレバー軸挿通孔２９が形成されている昇降ガイド板３０と、ピン３１ａ，３１ｂが挿通する長孔３２ａ，３２ｂが形成され昇降ガイド板３０にスライド自在に重ね合わされたスライド板３３などで構成されている。ピン３２ａ，３２ｂは昇降ガイド板３０に圧入されている。
【００３１】
昇降ガイド板３０とスライド板３３の間には引っ張りコイルバネ３４が介装されていてスライド板３３は図１０に示すように左側（矢印Ａ方向）に付勢されている。
【００３２】
スライド板３３の中央に折り曲げ加工で形成された操作レバー３３ａは、昇降ガイド板３０のレバー軸挿通孔２９を貫通して、図１と図８および図９に示すように前面キャビネット２６にスライド自在に取り付けられたオープン操作釦２６ａに係合している。
【００３３】
スライド板３３の両端には、図６に示すように昇降ガイド板３０の上下ガイド孔２８Ｒ，２８Ｌに係合する前記ホルダーガイド軸２５Ｒ，２５Ｌが挿通される貫通孔３３Ｒ，３３Ｌが形成されており、この貫通孔３３Ｒ，３３Ｌの一部には傾斜辺３５が形成されている。
【００３４】
また、スライド板３３には昇降ガイド板３０からスライド板３３の側に折り曲げて形成された折曲片３５ａ，３５ｂが挿通される長孔３２ｃ，３２ｄが前記長孔３２ａ，３２ｂと平行に形成されており、この長孔３２ｃ，３２ｄを貫通した折曲片３５ａ，３５ｂと前記ホルダーガイド軸２５Ｒ，２５Ｌの間には、中央がピン３１ａ，３１ｂに挿通されたネジリコイルバネ３６ａ，３６ｂが図１０に示すように介装されている。
【００３５】
さらに、スライド板３３の長孔３２ｄを挿通して昇降ガイド板３０に圧入されたピン３１ｃには、先端３７ａがネジリコイルバネ３６ｃによって上方に付勢され、装填されたカートリッジ７に当接して前記ネジリコイルバネ３６ｃの付勢に抗して先端が下方に回動する検出レバー３７が取り付けられている。
【００３６】
このように昇降駆動ユニット２７が組み付けられた組立品に対して、図７に示すように昇降駆動ユニット２７が取り付けられた正面Ｂを除く両側面Ｃ，Ｄと背面Ｅを覆うようにコの字型の中間キャビネット３８が取り付けられる。この中間キャビネット３８の両端の内側には、シャーシ２１の前記取付溝２１ａに係合させたリンク板１８Ｒ，１８Ｌの回転支軸２４が外れる方向へ移動しないように位置規制する凹部３８ａ，３８ｂが形成されている。中間キャビネット３８の背面の内側には、図５と図７と図８に示すようにリンクアングル１９の角部に形成された切欠部１９ｃ，１９ｄに係合する突部３８ｃ，３８ｄが形成されている。さらに、中間キャビネット３８の左側面３８Ｌの内側で前記凹部３８ｂよりも前寄りの位置には、図８に示すようにシャーシ２１の左折曲片２１Ｌに形成された前記切欠部２３を通過して先端が前記挿入口蓋１４の支持アーム１４Ｌの先端に係合する突起３８ｅが形成されている。
【００３７】
この中間キャビネット３８の右側先端３８ｆは、前面キャビネット２６の右端の背面に突出した突起２６ｂに係合して係止され、中間キャビネット３８の左側先端３８ｇは前記昇降ガイド板３０の孔３０ａにビス１２ｆで固定されている。
【００３８】
中間キャビネット３８の背面はビス１２ｇ，１２ｈでシャーシ２１にリンクアングル１９と底部蓋３９と共締めで固定される。
図８（ａ）と図９（ａ）が組上がり状態を示している。この状態では、可動キャビネット１とホルダー６は図１０に示すようにネジリコイルバネ３６ａ，３６ｂによってシャーシ２１に近接する下降位置（図１の（ｂ））に付勢されている。また、シャーシ２１と挿入口蓋１４の支持アーム１４Ｒとの間には、図４に示すように中央がホルダー６の支持軸１１に挿通されたネジリコイルバネ４０が介装されていて、挿入口蓋１４はネジリコイルバネ４０によって閉塞位置に付勢されている。
【００３９】
カートリッジ７を装填する前の状態では、検出レバー３７はネジリコイルバネ３６ｃによって付勢されて図１０に示す位置にある。図１３（ａ）はこの状態を背面（図６の矢印Ｆ−Ｆ′方向）から見た場合の概略図を示す。この図１３では昇降ガイド板３０とスライド板３３とを区別しやすいように、手前側にあるスライド板３３にはハッチングを記入して表している。
【００４０】
図８（ａ）と図９（ａ）に示すこの状態からカートリッジ７を装填する場合には、前面キャビネット２６と挿入口蓋１４に形成されている傾斜部を有する唇状の開口当接部分Ｇにカートリッジ７を押し付けて図１（ａ）のように押し込むと、挿入口蓋１４がネジリコイルバネ４０の付勢に抗して閉塞位置から開放位置に回動し、挿入口蓋１４の支持アーム１４Ｒ，１４Ｌの先端がシャーシ２１に当接して図８（ｂ）に示すようにホルダー６の入口側を上方へ持ち上げる。
【００４１】
このとき、リンクアングル１９は切欠部１９ｃ，１９ｄと中間キャビネット３８の突部３８ｃ，３８ｄとの係合部を第１の支点Ｈ１として回動する。また、ホルダー６の後部はリンク板１８Ｒ，１８Ｌを介してシャーシ２１の取付溝２１ａに支持されており、リンクアングル１９が図８（ａ）から図８（ｂ）に回動することによって、リンク板１８Ｒ，１８Ｌの中間部分がリンクアングル１９の係合片１９ａ，１９ｂによって上方へ押し上げられて、リンク板１８Ｒ，１８Ｌの回転支軸２４とシャーシ２１の取付溝２１ａとの係合部を第２の支点Ｈ２としてリンク板１８Ｒ，１８Ｌが回動して、挿入口蓋１４の閉塞位置から開放位置に回動に伴ってホルダー６がシャーシ２１に対して平行に上昇する。このホルダー６の上昇は、ネジリコイルバネ３６ａ，３６ｂの付勢に抗して行われる。
【００４２】
ホルダー６の背面に切り起こしで形成されたバネ部６ｄに抗してカートリッジ７をホルダー６に押し込んで行くと、前面キャビネット２６の上縁とカートリッジ７との係合が外れて、カートリッジ７による挿入口蓋１４を開放する力が解除されて、挿入口蓋１４がネジリコイルバネ４０の付勢で閉塞位置に回動するとともに、カートリッジ７が装填されたホルダー６が、ネジリコイルバネ３６ａ，３６ｂの付勢によって降下して図１２に示す状態に変化する。この状態では、カートリッジ７に内蔵されたディスクがディスク回転駆動機構４に連結され、光ピックアップ５がディスクにアクセスできる。
【００４３】
図１２に示す状態では、検出レバー３７の先端が装填されたカートリッジ７に当接してネジリコイルバネ３６ｃの付勢に抗して図１３（ｂ）に示すように回動する。
【００４４】
検出レバー３７の中間には折り曲げ加工で係合突起３７ｂが形成されており、この係合突起３７ｂはスライド板３３の中央の開口３３ｂを貫通して昇降ガイド板３０のレバー挿通孔２９に挿通されており、検出レバー３７が図１２に示すように回動することによってスライド板３３の開口３３ｂの一部に形成された段部３３ｃとの係合が外れて、引っ張りコイルバネ３４で付勢されているスライド板３３は、図１３（ａ）に示す状態から図１３（ｂ）に示すように矢印Ａ方向に距離Ｊだけ摺動する。
【００４５】
装填されたカートリッジ７を取り出す操作は、前面キャビネット２６のオープン操作釦２６ａを矢印Ａ方向と逆方向に操作するだけで、カートリッジ７が自動的に排出されて、従来のように可動キャビネット１の両側面を掴んで引き上げるような煩わしい操作を必要としない。
【００４６】
図１３（ｂ）に示す状態においてオープン操作釦２６ａを矢印Ａ方向と逆方向に操作すると、引っ張りコイルバネ３４の付勢によって図１３（ａ）に示す状態を経てさらにオープン操作釦２６ａを操作すると、ホルダー６のホルダーガイド軸２５Ｒ，２５Ｌが、矢印Ａ方向と逆方向に移動するスライド板３３の貫通孔３３Ｒ，３３Ｌの傾斜辺３５によって図１１に示すように昇降ガイド板３０の上下ガイド孔２８Ｒ，２８Ｌに沿って押し上げられる。
【００４７】
ホルダー６がネジリコイルバネ３６ａ，３６ｂの付勢に抗してスライド板３３の傾斜辺３５によって押し上げられる際に、挿入口蓋１４の支持アーム１４Ｌの先端が図８（ｂ）に示すように中間キャビネット３８の突起３８ｅに係合して挿入口蓋１４がネジリコイルバネ４０の付勢に抗して開放方向に回動し、前面キャビネット２６の背面とカートリッジ７との当接がなくなったときに、カートリッジ７はホルダー６のバネ部６ｄによってホルダー６から図１（ａ）に示す状態に自動排出される。
【００４８】
さらに、この実施の形態ではカートリッジ７が装填されている状態であるにもかかわらず利用者が別のカートリッジをホルダー６に挿入しようとしても、この操作を受け付けなくするように構成されている。
【００４９】
具体的には、カートリッジ７の装填前の状態では、ホルダー６のホルダーガイド軸２５Ｒ，２５Ｌは図１３（ａ）に示すように上下ガイド孔２８Ｒ，２８Ｌに沿って上昇できる状態にあって、カートリッジ７の挿入に伴ってホルダー６が平行に上昇して挿入口蓋１４が開放されたが、カートリッジ７の装填状態では、図１３（ｂ）に示すように検知レバー３７とスライド板３３の段部３３ｃとの係合が外れてスライド板３３の貫通孔３３Ｒ，３３Ｌの一部に形成されたストッパー３３ｄが、昇降ガイド板３０の上下ガイド孔２８Ｒ，２８Ｌと同一の経路中に突出し、別のカートリッジを挿入しようとしてもホルダーガイド軸２５Ｒ，２５Ｌがスライド板３３のストッパー３３ｄに衝突してその移動が禁止されているため、挿入口蓋１４が開放されない状態になっており、別のカートリッジを誤って重複装填するような事態の発生を防止できる。
【００５０】
なお、カートリッジ７の装填状態かどうかは、前面キャビネット２６のオープン操作釦２６ａの位置を確認することで判別できる。具体的には、図９（ａ）がカートリッジ７装填前の状態を示し、カートリッジ７の装填状態を図９（ｂ）に示した。カートリッジ７を装填すると図１３に示したようにスライド板３３が昇降ガイド板３０に対して距離Ｊだけ摺動し、スライド板３３の操作レバー３３ａに連結されているオープン操作釦２６ａの位置も同じ距離Ｊだけ摺動し、この距離Ｊの摺動によってそれまでオープン操作釦２６ａの下面に隠れていたインジケータ４１が現れることで装填状態を確認できる。インジケータ４１の具体例としては、前面キャビネット２６の一部を周囲とは異なる色に着色する例を挙げることができる。
【００５１】
なお、この実施の形態のディスク回転駆動機構４，光ピックアップ５が特許請求の範囲における記録媒体に対する記録／再生手段に対応しており、本体キャビネット２およびこれを構成する底部蓋３９，中間キャビネット３８が特許請求の範囲における第１キャビネットに対応している。可動キャビネット１は特許請求の範囲における第２キャビネットに対応している。
【００５２】
また、図１（ａ）（ｂ）を見て分かるように可動キャビネット１の周りは、本体キャビネット２の中間キャビネット３８によって、挿入口６ｃの側でこの挿入口６ｃを開閉する挿入口蓋１４の面以外の両側面および挿入口と反対側面の３側面Ｓ１，Ｓ２，Ｓ３が覆われているので、ＭＤプレーヤを持った指が可動キャビネット１の上下運動を妨げることがなく、カートリッジ７のスムーズな着脱動作を期待できる。
【００５３】
実施の形態のネジリコイルバネ３６ａ，３６ｂが特許請求の範囲における第１の付勢手段に対応している。実施の形態のバネ部６ｄは特許請求の範囲におけるカートリッジ排出用の第２の付勢手段に対応している。
【００５４】
実施の形態の挿入口蓋１４，ネジリコイルバネ４０は特許請求の範囲における挿入口蓋に対応している。
実施の形態の挿入口蓋１４に形成された支持アーム１４Ｌ，１４Ｒは特許請求の範囲における第１の付勢手段による第２キャビネットの第１の位置方向への付勢力に抗して第２キャビネットを第２の位置に移動させ開蓋状態とする開放手段に対応している。
【００５５】
なお、上記の実施の形態においては第１キャビネットとしての本体キャビネット２に対して第２キャビネットとしての可動キャビネット１が接近した第１の位置（図１（ａ））と離脱した第２の位置（図１（ｂ））に移動し、第２の位置に移動した状態で可動キャビネット１に取り付けた挿入口蓋１４がホルダー６の挿入口６ｃを開放したが、挿入口蓋１４は必須の要件ではなく、第１の位置において本体キャビネット２の一部がホルダー６の挿入口６ｃを閉塞し、可動キャビネット１が第２の位置に移動することによってホルダー６の挿入口６ｃが開放されるように構成することもできる。
【００５６】
上記の実施の形態では第１キャビネットとしての本体キャビネット２に対して第２キャビネットとしての可動キャビネット１が接近した第１の位置（図１（ａ））と離脱した第２の位置（図１（ｂ））に移動し、本体キャビネット２が可動キャビネット１に接近した状態では、可動キャビネット１の全部が本体キャビネット２の内側に収まったが、可動キャビネット１の少なくとも一部が本体キャビネット２の内側に収まることによっても、従来技術に比べてカートリッジの挿入・取り出しを行う着脱の際以外のカートリッジの非装着状態および装着完了状態でのキャビネットの薄型化を達成できる。
【００５７】
上記の実施の形態はＭＤプレーヤであるためカートリッジ７はＭＤカートリッジであったが、光ディスクカートリッジの他、磁気ディスクカートリッジやカセットテーププレーヤの場合のテープカートリッジでも良い。
【００５８】
【発明の効果】
以上のように本発明によれば、記録／再生手段を有する第１キャビネットと、第１キャビネットに対してその厚み方向において接近した第１の位置と離脱した第２の位置に移動自在にこの第１キャビネットに連結された第２キャビネットと、第２キャビネットを第１キャビネットに接近した第１の位置の方向に常時付勢する付勢手段と、第２キャビネットを前記付勢手段による付勢力に抗して第１の位置から第２の位置に離脱させる方向に移動させる開放手段と、開放手段による第２キャビネットの第１キャビネットに対する離脱時に開口する挿入口とを備え、挿入口は、開放手段による第２キャビネットの第２の位置への離脱時にのみ開口しカートリッジを挿入可能とするように構成したため、カートリッジを着脱する際以外のカートリッジの非装着状態および装着完了状態では第１キャビネットの厚さの範囲内に第２キャビネットの少なくとも一部が沈み込んだ姿勢になり、カートリッジを着脱する際以外のカートリッジの非装着状態および装着完了状態の厚みを従来よりも薄くでき、第２キャビネットは、挿入口のある面以外の両側面および挿入口と反対側面の３側面を第１キャビネットの側面で覆うように構成したため、外装ケースを持った指が第２キャビネットの上下運動を妨げることがなく、カートリッジのスムーズな着脱動作を期待できる。
【図面の簡単な説明】
【図１】本発明の記録／再生装置の実施の形態のＭＤプレーヤのカートリッジ着脱状態とこれ以外のカートリッジの非装着状態および装着完了状態の外観斜視図
【図２】同実施の形態の断面図
【図３】同実施の形態の分解斜視図
【図４】同実施の形態の可動キャビネットとホルダーとその周辺の分解斜視図
【図５】同実施の形態の可動キャビネットとホルダーとの組立品にシャーシを組み付ける状態の斜視図
【図６】同実施の形態のホルダーのロック手段の分解斜視図
【図７】同実施の形態の前面パネルと中間キャビネット取り付け状態を示す分解斜視図
【図８】同実施の形態の側面断面図
【図９】同実施の形態のカートリッジ着脱状態とこれ以外のカートリッジの非装着状態および装着完了状態の正面図
【図１０】同実施の形態のカートリッジ挿入前のロック手段を示す正面断面図
【図１１】同実施の形態のカートリッジ挿入後でオープン操作釦の操作状態を示す正面断面図
【図１２】同実施の形態のカートリッジ挿入後を示す正面断面図
【図１３】同実施の形態のカートリッジ挿入前後のロック手段の要部の拡大背面図
【図１４】従来のＭＤプレーヤの外観斜視図と断面図
【図１５】別の従来例の断面図
【符号の説明】
１    可動キャビネット〔第２キャビネット〕
１ａ，１ｂ    可動キャビネット１の両側面
１ａ，１ｂ，１，１ｄ    可動キャビネット１の孔
２    本体キャビネット〔第１キャビネット〕
３    回動支点
４    ディスク回転駆動機構
５    光ピックアップ
６    ホルダー
７    カートリッジ
８    オープン操作釦
９    ロック爪
１０    本体キャビネット２の上面開口部
１１    支持軸
１２ａ，１２ｂ，１２ｃ，１２ｄ，１２ｅ，１２ｆ，１２ｇ，１２ｈ    ビス
１３    ネジ穴
１４    挿入口蓋
１４Ｌ，１４Ｒ    支持アーム
１５    貫通孔
１６    ネジ穴
１７    ボス部
１８Ｒ，１８Ｌ    リンク板
１８ａ    孔
１９    リンクアングル
１９Ｒ，１９Ｌ    係合溝
１９ａ，１９ｂ    係合片
１９ｃ，１９ｄ    切欠部
２０      溝部
２１      シャーシ
２１ａ      取付溝
２２      プリント配線基板
２３      切欠部
２４      回転支軸
２５Ｒ，２５Ｌ      ホルダーガイド軸
２６      前面キャビネット
２６ａ    オープン操作釦
２６ｂ    突起
２７    昇降駆動ユニット
２８Ｒ，２８Ｌ    上下ガイド孔
２９    レバー軸挿通孔
３０    昇降ガイド板
３０ａ    孔
３１ａ，３１ｂ，３１ｃ    ピン
３２ａ，３２ｂ，３２ｃ，３２ｄ    長孔
３３    スライド板
３３Ｒ，３３Ｌ      貫通孔
３３ａ  操作レバー
３４      引っ張りコイルバネ
３５      傾斜辺
３５ａ，３５ｂ    折曲片
３６ａ，３６ｂ，３６ｃ    ネジリコイルバネ
３７    検出レバー
３７ａ    先端
３８    中間キャビネット
３８ａ，３８ｂ    凹部
３８ｃ，３８ｄ    突部
３８ｅ    突起
３８ｆ    右側先端
３８ｇ    左側先端
３９    底部蓋
４０    ネジリコイルバネ
４１    インジケータ
Ｂ    正面
Ｃ，Ｄ    側面
Ｅ    背面
【図１】
0003693506.tif 000002
【図２】
0003693506.tif 000003
【図３】
0003693506.tif 000004
【図４】
0003693506.tif 000005
【図５】
0003693506.tif 000006
【図６】
0003693506.tif 000007
【図７】
0003693506.tif 000008
【図８】
0003693506.tif 000009
【図９】
0003693506.tif 000010
【図１０】
0003693506.tif 000011
【図１１】
0003693506.tif 000012
【図１２】
0003693506.tif 000013
【図１３】
0003693506.tif 000014
【図１４】
0003693506.tif 000015
【図１５】
0003693506.tif 000016